(57)【要約】      （修正有）【課題】黒表示での光漏れが少なく、コントラストが高い、高品質な表示を可能とする液晶表示装置を提供する。【解決手段】開口部が２次元的に配されたブラックマトリックスおよび該開口部に着色膜からなる画素が形成されたカラーフィルタ基板とこれに対向するＴＦＴ基板との間に液晶が挟持され、偏光板の偏光軸が直交ノーマリーブラック型のアクティブマトリックス方式液晶表示装置において、各々の偏光板の偏光軸と多角形状の開口部を構成する辺とのなす角度θが下記（１）式を満たすときの辺の長さの合計が、該多角形状の開口部を構成する全ての辺の長さの合計の５０％以下で、且つ一対の基板のいずれもがコントラスト１０００以上であること。  ９０°×ｎ＋３５°≦θ≦９０°×ｎ＋５５°  （ｎ＝０，１，２，３）  （１）【選択図】図１
2009103875.tif 000002
【特許請求の範囲】
【請求項１】
開口部が２次元的に配されたブラックマトリックスおよび該開口部に着色膜からなる画素が形成されたカラーフィルタ基板とこれに対向する基板との間に液晶が挟持され、カラーフィルタ基板とこれに対向する基板からなる開口部が多角形状であり、両基板の間隙が開口部以外に形成されたスペーサーで保持され、両基板の液晶と接する面の反対側に各々の偏光軸が直交するように偏光板が配されてなるノーマリーブラック型のアクティブマトリックス方式液晶表示装置であって、
各々の偏光板の偏光軸と多角形状の開口部を構成する辺とのなす角度をθとしたときに下記（１）式を満たす辺の長さの合計が、該多角形状の開口部を構成する全ての辺の長さの合計の５０％以下で、かつ一対の基板のいずれもがコントラスト１０００以上であることを特徴とする液晶表示装置。
９０°×ｎ＋３５°≦θ≦９０°×ｎ＋５５°  （ｎ＝０，１，２，３）  （１）
【請求項２】
画素の繰り返しピッチが、７０μｍ以下であることを特徴とする請求項１に記載の液晶表示装置。
【請求項３】
多角形の開口部形状が長方形であって、偏光板の偏光軸と液晶表示装置のいずれか１辺とのなす角度φが下記（２）式を満たすことを特徴とする請求項１または２のいずれかに記載の液晶表示装置。
９０°×ｎ−１０°≦φ≦９０°×ｎ＋１０    （ｎ＝０，１，２，３）    （２）
【請求項４】
多角形の開口部形状が平行四辺形、もしくは複数の平行四辺形をつなぎ合わせた形状であって、偏光板の偏光軸と液晶表示装置のいずれか１辺とのなす角度φが下記（３）式を満たすことを特徴とする請求項１または２のいずれかに記載の液晶表示装置。
９０°×ｎ＋３５°≦φ≦９０°×ｎ＋５５    （ｎ＝０，１，２，３）      （３）
【発明の詳細な説明】
【技術分野】
【０００１】
本発明は、カラーフィルタと偏光板を備えたカラー液晶表示装置に関する。
【背景技術】
【０００２】
液晶表示装置の表示特性は、色再現範囲、輝度、視野角、コントラスト、応答速度などで評価され、その特性向上の開発が精力的に進められている。表示特性のひとつであるコントラストは、白表示の輝度を黒表示の輝度で除した値で定義され、コントラストが高いほど、黒表示がより黒くなり、奥行き感、メリハリのある高品位な表示となる。
【０００３】
液晶表示装置のコントラスト向上には、IPS（インプレーンスイッチング方式）、ＶＡ（垂直配向）方式など、ノーマリーブラック方式での液晶表示が有効であり、その開発、上市が進んでいる。また、液晶層の厚み、いわゆるセルギャップを規定するために用いるスペーサについても、従来の樹脂ビーズを散布する方式から、パターン加工された感光性樹脂、固定スペーサとすることで、コントラストの向上が図られている。さらに、偏光板の偏光度を向上させることは、コントラストの向上に直接的に作用することから、その開発が進んでいる。カラーフィルタについては、着色層での顔料粒子による偏光解消を抑制し、黒の光漏れを低減するため、顔料の微細化を中心としたコントラスト向上開発が進められている（特許文献１、２）。
【０００４】
しかしながら、顔料の微細化、つまりカラーフィルタ着色層のコントラスト向上だけでは、液晶表示装置のコントラスト向上には限りがあり、さらなるコントラスト向上の取り組みが必要な状況にある。
【特許文献１】特開平０８−１７１０１４号公報
【特許文献２】特開２００５−２０８３９７号公報
【発明の開示】
【発明が解決しようとする課題】
【０００５】
本発明は、黒表示での光漏れが少なく、コントラストが高い、高品質な表示を可能とする液晶表示装置を提供することを目的とする。
【課題を解決するための手段】
【０００６】
上記課題を達成するために、本発明は下記の構成からなる。
（１）開口部が２次元的に配されたブラックマトリックスおよび該開口部に着色膜からなる画素が形成されたカラーフィルタ基板とこれに対向する基板との間に液晶が挟持され、カラーフィルタ基板とこれに対向する基板からなる開口部が多角形状であり、両基板の間隙が開口部以外に形成されたスペーサーで保持され、両基板の液晶と接する面の反対側に各々の偏光軸が直交するように偏光板が配されてなるノーマリーブラック型のアクティブマトリックス方式液晶表示装置であって、
各々の偏光板の偏光軸と多角形状の開口部を構成する辺とのなす角度をθとしたときに下記（１）式を満たす辺の長さの合計が、該多角形状の開口部を構成する全ての辺の長さの合計の５０％以下で、かつ一対の基板のいずれもがコントラスト１０００以上であることを特徴とする液晶表示装置。
【０００７】
９０°×ｎ＋３５°≦θ≦９０°×ｎ＋５５°  （ｎ＝０，１，２，３）  （１）
（２）画素の繰り返しピッチが、７０μｍ以下であることを特徴とする（１）に記載の液晶表示装置。
（３）多角形の開口部形状が長方形であって、偏光板の偏光軸と液晶表示装置のいずれか１辺とのなす角度φが下記（２）式を満たすことを特徴とする（１）、または（２）のいずれかに記載の液晶表示装置。
【０００８】
９０°×ｎ−１０°≦φ≦９０°×ｎ＋１０    （ｎ＝０，１，２，３）    （２）
（４）多角形の開口部形状が平行四辺形、もしくは複数の平行四辺形をつなぎ合わせた形状であって、偏光板の偏光軸と液晶表示装置のいずれか１辺とのなす角度φが下記（３）式を満たすことを特徴とする（１）、または（２）のいずれかに記載の液晶表示装置。
９０°×ｎ＋３５°≦φ≦９０°×ｎ＋５５    （ｎ＝０，１，２，３）      （３）
【発明の効果】
【０００９】
本発明の液晶表示装置によって、黒表示での光漏れが少なく、コントラストが高い、高品質な表示を可能とする液晶表示装置を提供することができる。
【発明を実施するための最良の形態】
【００１０】
本発明者らは液晶表示装置のコントラスト向上について、鋭意検討した結果、以下の方法によって可能であることを見出した。
すなわち、透明基板上に少なくとも透明電極が形成された一対の対向基板の間隙が固定スペーサによって保持され、該間隙に液晶が狭持され、一対の透明基板のいずれか一方の基板上に、ブラックマトリクスを有し、かつ該ブラックマトリクスの開口部に複数色の画素が二次元的に配されたカラーフィルタ層を有し、各々の基板の液晶と接する面の反対側に偏光板が配され、画素毎に薄膜トランジスタ等の能動素子を具えてなるノーマリーブラック型のアクティブマトリクス方式液晶表示装置であって、
画素の開口部周縁の長さに対して、それぞれの偏光板の偏光軸と画素の開口部周縁とのなす角度が（９０°×ｎ＋４５°）±１０°以内（ｎ＝0，1，2，3）である開口部周縁の長さの割合が５０％以下であり、かつ一対の透明基板のいずれもがコントラスト測定値１０００以上である透明基板を具備してなる液晶表示装置であることが液晶表示装置のコントラスト向上に有効であることを見出した。
これは、固定スペーサ、ノーマリーブラックの表示方式を採用し、かつ透明基板のコントラスト測定値が１０００以上である透明基板を具備した、黒表示での光漏れが高度に抑制された液晶表示装置において、偏光板の偏向軸と画素開口部のパターン形状との相対配置が液晶表示装置の黒表示光漏れ、すなわちコントラスト値に大きく影響することを見いだしたことによるものである。
【００１１】
つまり、従来採用されてきたビーズスペーサ、ノーマリーホワイト表示方式、コントラスト測定値が１０００よりも小さい透明基板、いずれかの要素がある液晶表示装置においては、黒表示での光漏れ量が、本発明の偏光板の偏向軸と画素開口部のパターン形状との相対配置による黒表示での光漏れ量よりも相対的に大きく、本発明の効果を十分発揮することができないのである。
【００１２】
従来、画素開口部のパターン形状と偏光板の偏光軸の相対配置とコントラストの関係については、知られていなかったが、本発明に想達する過程において、カラーフィルタ基板、ならびにＴＦＴ基板と偏光軸の角度を変え、コントラストを測定したところ、予想外にコントラストが変化することを見出した。この変化をさらに探求したところ、偏光軸と画素開口部の周縁部とのなす角度が（９０×ｎ＋４５）°（ｎ＝0，1，2，3）の時に最もコントラストが低下してしまうことを見出した。
【００１３】
偏光板の偏光軸と画素の開口部周縁とのなす角度が（９０×ｎ＋４５°）±１０°以内（ｎ＝0，1，2，3）にあると、偏光板、位相差板、液晶層等を通過し、所望の偏光状態にあるバックライトからの光が、変調を受け、黒表示での光漏れの原因となり、高度に黒表示光漏れが抑制された液晶表示装置においては、コントラストの低下が発生する。
したがって、本発明においては、１画素あたりの偏光板の偏光軸と画素開口部周縁とのなす角度が（９０×ｎ＋４５°）±１０°以内（ｎ＝0，1，2，3）である開口部縁周の長さを短くするよう、偏光板の偏光軸と画素の開口パターンを適宜設計することが好ましい。
【００１４】
開口部周縁での偏光状態の変調は、偏光板の偏光軸と画素の開口部周縁とのなす角度が９０×ｎ＋４５°（ｎ＝0，1，2，3）の時に極大となり、９０×ｎ°（ｎ＝0，1，2，3）の時に極小となる角度依存性を持つことを見いだした。したがって、偏光板の偏光軸と画素の開口部周縁とのなす角度は９０×ｎ＋４５°（ｎ＝0，1，2，3）を中心とし、±１０°以内にある開口部縁周の長さを短くすることで本発明の効果を有意に発現させることができる。
【００１５】
偏光板の偏光軸と画素の開口部周縁とのなす角度は９０×ｎ＋４５°（ｎ＝0，1，2，3）を中心とし、±１０°以内にある開口部縁周の長さを短くすることが好ましく、９０×ｎ＋４５°（ｎ＝0，1，2，3）を中心とし、±５°以内にある開口部縁周の長さを短くすることがよりに好ましく、９０×ｎ＋４５°（ｎ＝0，1，2，3）を中心とし、±３°以内にある開口部縁周の長さを短くすることがさらに好ましい。
【００１６】
１つの画素の画素開口部周縁の長さに対して、偏光板の偏光軸と１つの画素の画素開口部周縁とのなす角度が（９０×ｎ＋４５°）±１０°以内（ｎ＝0，1，2，3）である開口部周縁の長さは、５０％以下であることが好ましく、３０％であることがより好ましく、１５％以下であることがさらに好ましい。
【００１７】
本発明の液晶表示装置においては、一対の透明基板のいずれもがコントラスト測定値１０００以上であることが好ましい。コントラスト測定値が１０００よりも小さい透明基板を用いた場合、その黒表示光漏れの表示への影響がおおきく、本発明の効果を発揮することができない。したがって、一対の透明基板のいずれもがコントラスト測定値１０００以上であることが必要であり、コントラスト測定値１５００以上であることが好ましく、コントラスト測定値２０００以上であることがより好ましく、コントラスト測定値４０００以上であることがさらに好ましい。
【００１８】
ここでいう透明基板のコントラストとは、１対の偏光板をバックライト光源の前方に配し、平行ニコルで測定した場合の輝度を直交ニコルで測定した場合の輝度で除した値が１００００以上である偏光板、たとえばルケオ社製ＰＯＬＡＸ３８Ｓなどを用い、直交ニコスに配した該１対の偏光板の間に、輝度が最も小さくなる角度で透明基板を配した際の、平行ニコルで測定した場合の輝度を直交ニコルで測定した場合の輝度で除した値をいう。
【００１９】
液晶表示装置の解像度が上がると、単位面積に対する周縁部の長さが長くなり、黒表示での光漏れ量、つまりコントラストの低下が大きくなり、表示特性の低下が著しくなる。したがって、解像度の高い液晶表示装置に本発明を適用することで、本発明の効果がより顕著に発現するので好ましい。具体的には、画素ピッチが７０μｍ以下の液晶表示装置への適用が好ましく、画素ピッチが５５μｍ以下の液晶表示装置への適用がより好ましく画素ピッチが３０μｍ以下の液晶表示装置への適用がさらに好ましい。
【００２０】
液晶表示装置のコントラストが高くなると、偏光板の偏光軸とブラックマトリクスの開口部周縁でのバックライト光の変調による黒表示での光漏れの影響が顕著になることから、コントラストが高い液晶表示装置への適用が好ましい。液晶表示装置のコントラストについては、６００以上であることが好ましく、８００以上であることがより好ましく、１０００以上であることがさらに好ましい。
【００２１】
本発明の液晶表示装置については、ブラックマトリクス層、着色層からなるカラーフィルタ層が形成される位置については、特に限定されず、観察者側基板であっても良く、その対向基板であってもよい。また、透明基板上にカラーフィルタ層を直接形成しても良く、薄膜トランジスタ等が形成された駆動素子上にカラーフィルタを形成しても良い。
【００２２】
カラーフィルタのブラックマトリクス層に用いる遮光材ついては、特に限定されず、クロム、ニッケル、アルミニウム等の金属あるいは金属化合物からなる薄膜を蒸着法やスパッタ法などの真空成膜法等で成膜した薄膜を用いても良く、カーボンブラック、酸化チタン、鉄黒、アニリンブラック、有機顔料等をバインダー樹脂を混合した樹脂ブラックマトリクスとしても良い。
【００２３】
着色層は特に限定されるものではないが、アクリル樹脂、ポリエステル樹脂、ポリビニルアルコール樹脂、ポリイミド樹脂などの１種あるいは２種以上の混合物およびこれらの樹脂に染料または顔料などの着色剤を分散混合して、赤、青、緑等に着色した画素を形成したものが用いられる。この着色層の形成方法としては染色法、顔料分散法（フォトリソ法）、転写法、印刷法、および電着法などを適宜用いることが可能である。特に、顔料分散法では、高精細なパターン加工が可能であり、好ましく用いられる。
【００２４】
バインダー樹脂に着色材量を分散混合させてできるカラーペーストは、それ自身に感光性を持たせても良く、非感光性であってもよい。カラーペーストが非感光性である場合は、カラーペーストを塗布、セミキュア後、さらにその上にレジスト材料を塗布、乾燥し、露光、現像することでパターン加工が可能となる。
【００２５】
本発明の液晶表示装置の開口部形状については、特に制限なく、偏光板の偏光軸と１つの画素の開口部周縁とのなす角度が（９０×ｎ＋４５°）±１０°以内（ｎ＝0，1，2，3）である開口部周縁の長さが短くなるよう開口部形状が設計、配置されていればよい。
【００２６】
具体的には、画素の開口部形状については、任意の多角形状であってもよく、長方形状、平行四辺形状、平行四辺形状を組み合わせたくの字形状、ジグザグ形状であっても良い。複数の平行四辺形をつなぎ合わせた形状とは、平行四辺形状を単純につなぎ合わせたものでもよく、平行四辺形状の一辺、もしくは２辺を取り除き、つなぎ合わせた、いわゆる“くの字形状”、“ジグザグ形状”であっても良い。ここでいう、多角形状、長方形状、平行四辺形状等の開口部形状は、概ね該形状で形成されていれば良く、例えば、薄膜トランジスタを遮光するための遮光部などの付加パターンが形成されていても良い。
【００２７】
液晶表示装置の表示モードについては、特に限定はないが、コントラストに優れるアクティブマトリクス方式液晶表示装置が好ましく、さらにはノーマリーブラック型の液晶表示装置への適用がより好ましい。具体的には、ＩＰＳ（インプレーンスイッチング）方式、ＦＦＳ（フリンジフィールドスイッチング）方式、ＶＡ（垂直配向）方式、ＰＷＡ（ピンホイール配向）方式などが挙げられる。ＶＡ方式については、複数のドメインを持つよう配向制御用の突起物を形成したいわゆるＭＶＡ（マルチドメインＶＡ）方式でもよく、また透明電極をパターンニングした、いわゆるＰＶＡ（パターンドＶＡ）方式でも良い。
【００２８】
本発明の液晶表示装置については、カラーフィルタ層以外にも、パターン化層を形成してもよく、その機能、形状等に特に制限はない。例えば、固定スペーサ、液晶配向制御用突起、半透過型液晶表示装置の反射表示領域に形成されるギャップ調整用の透明樹脂層等、さまざまな機能、形状等を持つものであって良い。
以下に本発明の実施の例を示すが、実施の形態については、本実施例に特に制限されるものではない。
【実施例】
【００２９】
実施例１
［カラーフィルタ基板の作製］
コーニング製厚さ０．７ｍｍの無アルカリガラス基板“１７３７”上に、公知の方法によりポリイミド樹脂、カーボンブラックを含有する樹脂ブラックマトリクスを加工し、画素ピッチ６０μｍ、画素長辺長さ１８０μｍ、ブラックマトリクス幅６μｍ、長方形状（格子状）の樹脂ブラックマトリクス付の透明基板を得た。次に、ポリイミド樹脂、着色顔料を含む非感光性ペーストをスピンナーで塗布し、公知の方法により、ポリイミド樹脂からなるカラーフィルタ層を得た。
【００３０】
次に、透明電極としてＩＴＯを製膜し、カラーフィルタ基板を得た。別途、無アルカリガラス上にＴＦＴ素子、画素電極等を形成した基板を対向基板として用意した。それぞれ基板の透明電極上に、フォトリソ法によってポリイミドからなるストライプ状の突起、ならびに高さ４μｍの固定スペーサを形成した後、垂直配向膜を設けた。突起の断面は台形状であり高さは約１．５ミクロンであった。ただし、カラーフィルタ基板とガラス基板とを貼り合わせた時にストライプ状突起が対向のストライプ突起と交互に配置されるようにストライプ状の位置を定めた。これら２つの基板の一方にマイクロロッドを練り込んだシール剤を印刷し、２つの基板を貼り合わせた。次に、セル間にｎ型の液晶を充填して封じ、偏光板の偏光軸が長方形状の液晶表示装置のいずれか１辺とのなす角度が９０×ｎ°（ｎ＝0，1，2，3）であり、かつ、一対の偏光板がクロスニコルとなるように配置した。このようにして、ＭＶＡ方式を模した試験液晶表示素子を作製した。このときの偏光板の偏光軸と画素開口部の関係、偏光板の偏光軸と液晶表示装置との関係を模式的に図１に示す。
【００３１】
このとき、偏光板の偏光軸と画素開口部周縁とのなす角度が（９０×ｎ＋４５°）±１０°以内（ｎ＝0，1，2，3）である開口部周縁の長さは１２μｍであった。画素開口部縁周長さ４５６μｍに対する偏光板の偏光軸と画素開口部周縁とのなす角度が（９０×ｎ＋４５°）±１０°以内（ｎ＝0，1，2，3）である開口部周縁の長さは、２．６％であった。また、偏光板の偏光軸と液晶表示装置のある１辺とのなす角度は、０°であった。ＴＦＴ基板、カラーフィルタ基板のコントラストをルケオ製偏光板“ＰＯＬＡＸ３８Ｓ”を用い、トプコン製色彩輝度計“ＢＭ−５Ａ”で測定したところ、それぞれ６０００，４５００であった。  また、液晶表示装置のコントラストは１６００であった。
【００３２】
比較例１
偏光板の偏光軸が長方形状の液晶表示装置のいずれか１辺とのなす角度が９０×ｎ＋４５°（ｎ＝0，1，2，3）であること以外は、実施例１と同様にして、ＭＶＡ方式を模した試験液晶表示素子を作製した。このときの偏光板の偏光軸と画素開口部の関係、偏光板の偏光軸と液晶表示装置との関係を模式的に図２に示す。
【００３３】
このとき、偏光板の偏光軸と画素開口部周縁とのなす角度が（９０×ｎ＋４５°）±１０°以内（ｎ＝0，1，2，3）である開口部周縁の長さは４４４μｍであった。
【００３４】
画素開口部縁周長さ４５６μｍに対する偏光板の偏光軸と画素開口部周縁とのなす角度が（９０×ｎ＋４５°）±１０°以内（ｎ＝0，1，2，3）である開口部周縁の長さは、９７％であった。また、偏光板の偏光軸と液晶表示装置のある１辺とのなす角度は、４５°であった。ＴＦＴ基板、カラーフィルタ基板のコントラストをルケオ製偏光板“ＰＯＬＡＸ３８Ｓ”を用い、トプコン製色彩輝度計“ＢＭ−５Ａ”で測定したところ、それぞれ６０００，４５００であった。また、液晶表示装置のコントラストは１２００であった。
【００３５】
偏光板の偏光軸を液晶表示装置のいずれかの１辺と平行となるように配置し、画素周縁部長さに対する偏光板の偏光軸とブラックマトリクスと着色層の境界からなる画素周縁部とのなす角度が０゜、９０°である周縁部の長さが２．６％である、画素ピッチ６０μｍのカラーフィルタを用いた実施例１の液晶表示装置は、偏光板の偏光軸を液晶表示装置のいずれかの１辺と４５°の角度となるように配置し、画素周縁部長さに対する偏光板の偏光軸とブラックマトリクスと着色層の境界からなる画素周縁部とのなす角度が０゜、９０°である周縁部の長さが９７％であった比較例１の液晶表示装置に比べ、３３％高いコントラストを示した。
【００３６】
実施例２
コーニング製厚さ０．７ｍｍの無アルカリガラス基板“１７３７”上に、公知の方法によりポリイミド樹脂、カーボンブラックを含有する樹脂ブラックマトリクスを加工し、画素ピッチ６０μｍ、画素長辺長さ１８０μｍ、ブラックマトリクス幅６μｍで、上辺、底辺が６０μｍ、高さ９０μｍ、角度が４５°であり、上辺、または底辺、いずれかが開放された平行四辺形を、開放された辺が互いに接し、くの字状となるよう組み合わせた開口パターンをもつ樹脂ブラックマトリクス付の透明基板を得た。
【００３７】
次に、偏光板の偏光軸が長方形状の液晶表示装置のいずれか１辺とのなす角度が９０×ｎ＋４５°（ｎ＝0，1，2，3）となり、かつ一対の偏光板がクロスニコルとなるように配置したこと以外は、実施例１と同様にして、ＭＶＡ方式を模した試験液晶表示素子を作製した。このときの偏光板の偏光軸と画素開口部の関係、偏光板の偏光軸と液晶表示装置との関係を模式的に図３に示す。
【００３８】
このとき、偏光板の偏光軸と画素開口部周縁とのなす角度が（９０×ｎ＋４５°）±１０°以内（ｎ＝0，1，2，3）である開口部周縁の長さは１２０μｍであった。画素開口部縁周長さ６００μｍに対する偏光板の偏光軸と画素開口部周縁とのなす角度が（９０×ｎ＋４５°）±１０°以内（ｎ＝0，1，2，3）である開口部周縁の長さは、２０％であった。また、偏光板の偏光軸と液晶表示装置のある１辺とのなす角度は、４５°であった。ＴＦＴ基板、カラーフィルタ基板のコントラストをルケオ製偏光板“ＰＯＬＡＸ３８Ｓ”を用い、トプコン製色彩輝度計“ＢＭ−５Ａ”で測定したところ、それぞれ６０００，４５００であった。また、液晶表示装置のコントラストは１５００であった。
比較例２
偏光板の偏光軸が長方形状の液晶表示装置のいずれか１辺とのなす角度が９０°×ｎ（ｎ＝0，1，2，3）であること以外は、実施例２と同様にして、ＭＶＡ方式を模した試験液晶表示素子を作製した。このときの偏光板の偏光軸と画素開口部の関係、偏光板の偏光軸と液晶表示装置との関係を模式的に図４に示す。
【００３９】
このとき、偏光板の偏光軸と画素開口部周縁とのなす角度が（９０×ｎ＋４５°）±１０°以内（ｎ＝0，1，2，3）である開口部周縁の長さは４８０μｍであった。画素開口部縁周長さ６００μｍに対する偏光板の偏光軸と画素開口部周縁とのなす角度が（９０×ｎ＋４５°）±１０°以内（ｎ＝0，1，2，3）である開口部周縁の長さは、８０％であった。また、偏光板の偏光軸と液晶表示装置のある１辺とのなす角度は、０°であった。ＴＦＴ基板、カラーフィルタ基板のコントラストをルケオ製偏光板“ＰＯＬＡＸ３８Ｓ”を用い、トプコン製色彩輝度計“ＢＭ−５Ａ”で測定したところ、それぞれ６０００，４５００であった。  また、液晶表示装置のコントラストは１２００であった。
【００４０】
偏光板の偏光軸を液晶表示装置のいずれかの１辺と４５°となるように配置し、画素周縁部長さに対する偏光板の偏光軸と画素周縁部とのなす角度が（９０×ｎ＋４５°）±１０°以内（ｎ＝0，1，2，3）である周縁部の長さが２０％である、画素ピッチ６０μｍ、くの字形状の画素開口部パターンをもつカラーフィルタを用いた実施例２の液晶表示装置は、偏光板の偏光軸を液晶表示装置のいずれかの１辺と平行、もしくは直角となるように配置し、画素周縁部長さに対する偏光板の偏光軸と画素周縁部とのなす角度が（９０×ｎ＋４５°）±１０°以内（ｎ＝0，1，2，3）である周縁部の長さが８０％である、画素ピッチ６０μｍ、くの字形状の画素開口部パターンをもつカラーフィルタを用いた比較例２の液晶表示装置に比べ、２５％高いコントラストを示した。
【００４１】
実施例３
画素ピッチ３０μｍ、画素長辺長さ９０μｍ、ブラックマトリクス幅６μｍ、長方形状（格子状）の樹脂ブラックマトリクス付のカラーフィルタ基板を用いたこと以外は、実施例１と同様にして、ＭＶＡ方式を模した試験液晶表示素子を作製した。このときの偏光板の偏光軸と画素開口部の関係、偏光板の偏光軸と液晶表示装置との関係を模式的に図１に示す。
【００４２】
このとき、偏光板の偏光軸と画素開口部周縁とのなす角度が（９０×ｎ＋４５°）±１０°以内（ｎ＝0，1，2，3）である開口部周縁の長さは１２μｍであった。
【００４３】
画素開口部縁周長さ２１６μｍに対する偏光板の偏光軸と画素開口部周縁とのなす角度が（９０×ｎ＋４５°）±１０°以内（ｎ＝0，1，2，3）である開口部周縁の長さは、６％であった。また、偏光板の偏光軸と液晶表示装置のある１辺とのなす角度は、０°であった。ＴＦＴ基板、カラーフィルタ基板のコントラストをルケオ製偏光板“ＰＯＬＡＸ３８Ｓ”を用い、トプコン製色彩輝度計“ＢＭ−５Ａ”で測定したところ、それぞれ５０００，３２００であった。また、液晶表示装置のコントラストは１４００であった。
【００４４】
比較例３
偏光板の偏光軸が長方形状の液晶表示装置のいずれか１辺とのなす角度が９０×ｎ＋４５°（ｎ＝0，1，2，3）であること以外は、実施例３と同様にして、ＭＶＡ方式を模した試験液晶表示素子を作製した。このときの偏光板の偏光軸と画素開口部の関係、偏光板の偏光軸と液晶表示装置との関係を模式的に図２に示す。
【００４５】
このとき、偏光板の偏光軸と画素開口部周縁とのなす角度が（９０×ｎ＋４５°）±１０°以内（ｎ＝0，1，2，3）である開口部周縁の長さは２０４μｍであった。
【００４６】
画素開口部縁周長さ２１６μｍに対する偏光板の偏光軸と画素開口部周縁とのなす角度が（９０×ｎ＋４５°）±１０°以内（ｎ＝0，1，2，3）である開口部周縁の長さは、９４％であった。また、偏光板の偏光軸と液晶表示装置のある１辺とのなす角度は、４５°であった。ＴＦＴ基板、カラーフィルタ基板のコントラストをルケオ製偏光板“ＰＯＬＡＸ３８Ｓ”を用い、トプコン製色彩輝度計“ＢＭ−５Ａ”で測定したところ、それぞれ５０００，３２００であった。また、液晶表示装置のコントラストは７００であった。
【００４７】
画素周縁部長さに対する偏光板の偏光軸とブラックマトリクスと着色層の境界からなる画素周縁部とのなす角度が（９０×ｎ＋４５°）±１０°以内（ｎ＝0，1，2，3）である周縁部の長さが６％となるよう偏光板の偏光軸を液晶表示装置のいずれかの１辺と平行となるように配置し、画素ピッチ３０μｍであるカラーフィルタを用いた実施例３の液晶表示装置は、偏光板の偏光軸を液晶表示装置のいずれかの１辺と４５°の角度となるように配置し、画素周縁部長さに対する偏光板の偏光軸とブラックマトリクスと着色層の境界からなる画素周縁部とのなす角度が（９０×ｎ＋４５°）±１０°以内（ｎ＝0，1，2，3）である周縁部の長さが９４％である比較例３の液晶表示装置に比べ、１００％高いコントラストを示した。
【００４８】
比較例３においては、画素ピッチが３０μｍと狭いため、単位面積あたりのブラックマトリクス周縁部の長さが長く、実施例３に比べて、コントラストが大幅に低下している。このように、画素ピッチが狭い実施例３においては、偏光板の偏光軸とブラックマトリクス周縁部とのなす角度が０゜、９０°とする効果がより顕著に発現している。
【００４９】
実施例４
遮光材が金属クロム、酸化クロムの積層蒸着膜からなり、画素ピッチ６０μｍ、画素長辺長さ１８０μｍ、ブラックマトリクス幅６μｍ、長方形状（格子状）のブラックマトリクスであること、着色層としてアクリル樹脂を含有する感光性カラーレジストをパターンニングしたこと以外は、実施例１と同様にして、ＭＶＡ方式を模した試験液晶表示素子を作製した。このときの偏光板の偏光軸と画素開口部の関係、偏光板の偏光軸と液晶表示装置との関係を模式的に図１に示す。
【００５０】
このとき、偏光板の偏光軸と１つの画素のブラックマトリクスの開口部周縁とのなす角度が（９０×ｎ＋４５°）±１０°以内（ｎ＝0，1，2，3）である開口部周縁の長さは１２μｍであった。画素開口部縁周長さ４５６μｍに対する偏光板の偏光軸と画素開口部周縁とのなす角度が（９０×ｎ＋４５°）±１０°以内（ｎ＝0，1，2，3）である開口部周縁の長さは、２．６％であった。また、偏光板の偏光軸と液晶表示装置のある１辺とのなす角度は、０°であった。ＴＦＴ基板、カラーフィルタ基板のコントラストをルケオ製偏光板“ＰＯＬＡＸ３８Ｓ”を用い、トプコン製色彩輝度計“ＢＭ−５Ａ”で測定したところ、それぞれ６０００，５５００であった。また、液晶表示装置のコントラストは６００であった。
【００５１】
比較例４
偏光板の偏光軸が長方形状の液晶表示装置のいずれか１辺とのなす角度が９０×ｎ＋４５°（ｎ＝0，1，2，3）であること以外は、実施例１と同様にして、ＭＶＡ方式を模した試験液晶表示素子を作製した。このときの偏光板の偏光軸と画素開口部の関係、偏光板の偏光軸と液晶表示装置との関係を模式的に図２に示す。
【００５２】
このとき、偏光板の偏光軸と１つの画素のブラックマトリクスの開口部周縁とのなす角度が（９０×ｎ＋４５°）±１０°以内（ｎ＝0，1，2，3）である開口部周縁の長さは４４４μｍであった。画素開口部縁周長さ４５６μｍに対する偏光板の偏光軸と画素開口部周縁とのなす角度が（９０×ｎ＋４５°）±１０°以内（ｎ＝0，1，2，3）である開口部周縁の長さは、９７％であった。また、偏光板の偏光軸と液晶表示装置のある１辺とのなす角度は、４５°であった。
ＴＦＴ基板、カラーフィルタ基板のコントラストをルケオ製偏光板“ＰＯＬＡＸ３８Ｓ”を用い、トプコン製色彩輝度計“ＢＭ−５Ａ”で測定したところ、それぞれ６０００，５５００であった。また、液晶表示装置のコントラストは２３０であった。画素周縁部長さに対する偏光板の偏光軸と画素周縁部とのなす角度が（９０×ｎ＋４５°）±１０°以内（ｎ＝0，1，2，3）である周縁部の長さが２．６％となるよう偏光板の偏光軸を配置し、クロムをパターンニングしたブラックマトリクス、ならびに感光性アクリル樹脂からなる着色層を有するカラーフィルタを用いた実施例４の液晶表示装置は、偏光板の偏光軸を液晶表示装置のいずれかの１辺と４５°の角度となるように配置し、  画素周縁部長さに対する偏光板の偏光軸と画素周縁部とのなす角度が（９０×ｎ＋４５°）±１０°以内（ｎ＝0，1，2，3）である周縁部の長さが９７％とした比較例４の液晶表示装置に比べ、１６０％高いコントラストを示した。このように、クロムブラックマトリクス、感光性アクリル樹脂を用いた着色層からなるカラーフィルタを用いた場合においても、有効に効果が発現していた。
【図面の簡単な説明】
【００５３】
【図１】本発明の実施例１、３、４の模式平面図
【図２】本発明の比較例１、３、４の模式平面図
【図３】本発明の実施例２の模式平面図
【図４】本発明の比較例２の模式平面図
【符号の説明】
【００５４】
１  ：ブラックマトリックス
２、３  ：偏光板の偏光軸
４  ：液晶表示装置の外形  
【図１】
2009103875.tif 000003
【図２】
2009103875.tif 000004
【図３】
2009103875.tif 000005
【図４】
2009103875.tif 000006